【手続補正書】
【提出日】平成22年4月2日(2010.4.2)
【手続補正１】
【補正対象書類名】明細書
【補正対象項目名】発明の名称
【補正方法】変更
【補正の内容】
【発明の名称】クライアント装置およびプログラム
【手続補正２】
【補正対象書類名】特許請求の範囲
【補正対象項目名】全文
【補正方法】変更
【補正の内容】
【特許請求の範囲】
【請求項１】
クライアント装置に表示する表示データを仮想画面として生成するサーバ装置と接続され、ネットワークを介して表示データを受信して表示画面に表示するクライアント装置であって、
前記表示データの表示位置を固定して表示する固定領域と、前記表示データの表示位置を変更せずに表示する通常領域よりなる表示画面を有する表示手段と、
前記仮想画面の表示データのうち前記表示画面の前記固定領域に表示する表示データの範囲と、この範囲の表示データを表示する前記表示画面の位置を示す固定領域の範囲とを対応して記憶する記憶手段と、
前記記憶手段に記憶されている範囲に基づいて、前記サーバ装置より受信した前記表示データの中から、前記固定領域に対応する表示データを抽出する抽出手段と、
前記抽出手段で抽出された表示データを前記表示画面の前記固定領域に固定的に表示する表示制御手段と、
を備えることを特徴とするクライアント装置。
【請求項２】
前記サーバ装置で生成された前記仮想画面の全体を前記クライアント装置の前記表示画面に表示させ、前記固定領域に表示する表示データの範囲と、この範囲の表示データを表示するクライアント装置の固定領域の範囲を任意に指定する指定手段とを備え、
この指定手段で指定された範囲を前記記憶手段へ記憶することを特徴とする請求項１に記載のクライアント装置。
【請求項３】
前記表示制御手段は、前記固定領域に表示される前記仮想画面の表示データを縮小して前記クライアント装置の前記固定領域内に表示することを特徴とする請求項１に記載のクライアント装置。
【請求項４】
前記表示画面の位置を入力指定する入力手段とを備え、
前記表示制御手段は、前記入力手段による指定が前記表示画面の所定位置内にある場合に、前記固定領域の表示を行うことを特徴とする請求項１に記載のクライアント装置。
【請求項５】
前記記憶手段は、更に、接続先の情報を対応付けて記憶し、
前記抽出手段は、接続先に応じて、前記サーバ装置より受信した前記表示データの中から、前記固定領域に対応する表示データを抽出することを特徴とする請求項１に記載のクライアント装置。
【請求項６】
前記表示画面の位置を入力指定する入力手段と、
前記入力手段により前記固定領域内の位置が指定された場合に、指定された位置の座標を、前記仮想画面の対応する位置の座標に変換する変換手段と、
前記変換手段によって変換された座標を前記サーバ装置へ送信する送信手段と、
を備えることを特徴とする請求項１に記載のクライアント装置。
【請求項７】
前記変換手段は、前記記憶手段に記憶されている範囲に基づいて、前記入力手段で指定された位置の座標を、前記仮想画面の対応する位置の座標に変換することを特徴とする請求項６に記載のクライアント装置。
【請求項８】
クライアント装置に表示する表示データを仮想画面として生成するサーバ装置と接続され、ネットワークを介して表示データを受信して表示画面に表示するクライアント装置であって、
前記表示データの表示位置を固定して表示する固定領域と、前記表示データの表示位置を変更せずに表示する通常領域よりなる表示画面を有する表示手段と、
前記サーバ装置より受信した前記表示データの中から、前記固定領域に対応する表示データを抽出する抽出手段と、
前記抽出手段で抽出された表示データを前記表示画面の前記固定領域に固定的に表示する表示制御手段と、
前記固定領域に表示する表示データの範囲と、この範囲の表示データを表示するクライアント装置の固定領域の範囲を対応して座標として記憶する記憶手段と、
前記表示画面の位置を入力指定する入力手段と、
前記入力手段により前記固定領域内の位置が指定された場合に、前記記憶手段に記憶されている座標に基づいて、前記入力手段で指定された位置の座標を、前記仮想画面の対応する位置の座標に変換する変換手段と、
前記変換手段によって変換された座標を前記サーバ装置へ送信する送信手段と、
を備えることを特徴とするクライアント装置。
【請求項９】
前記記憶手段は、更に、接続先の情報を対応付けて記憶し、
前記変換手段は、接続先に応じて座標の変換を行うことを特徴とする請求項８に記載のクライアント装置。
【請求項１０】
クライアント装置に表示する表示データを仮想画面として生成するサーバ装置と接続され、ネットワークを介して表示データを受信して表示画面に表示するクライアント装置のコンピュータを、
前記表示データの表示位置を固定して表示する固定領域と、前記表示データの表示位置を変更せずに表示する通常領域よりなる表示画面を表示する表示手段、
前記仮想画面の表示データのうち前記表示画面の前記固定領域に表示する表示データの範囲と、この範囲の表示データを表示する前記表示画面の位置を示す固定領域の範囲とを対応して記憶する記憶手段、
前記記憶手段に記憶されている範囲に基づいて、前記サーバ装置より受信した前記表示データの中から、前記固定領域に対応する表示データを抽出する抽出手段、
前記抽出手段で抽出された表示データを前記表示画面の前記固定領域に固定的に表示させる制御手段、
として機能させるためのプログラム。
【手続補正３】
【補正対象書類名】明細書
【補正対象項目名】００１０
【補正方法】変更
【補正の内容】
【００１０】
また。クライアント装置側は、サーバ装置側で生成された仮想画面の表示データを受信してそのまま表示するだけで、表示データに応じてその表示位置を変更することができないという問題があった。
本発明は、上記問題点に鑑みてなされたものであり、サーバ装置で生成された仮想画面にタスクバーのような所定の表示領域に固定的に表示したい表示データが含まれる場合に、クライアント装置側でこの表示データを所定の表示領域に表示することができるクライアント装置及びプログラムを提供することを目的とする。
【手続補正４】
【補正対象書類名】明細書
【補正対象項目名】００１１
【補正方法】変更
【補正の内容】
【００１１】
請求項１に記載した本発明は、上記課題を解決するため、下記のような構成を採用した。
本発明のクライアント装置は、クライアント装置に表示する表示データを仮想画面として生成するサーバ装置と接続され、ネットワークを介して表示データを受信して表示画面に表示するクライアント装置であって、前記表示データの表示位置を固定して表示する固定領域と、前記表示データの表示位置を変更せずに表示する通常領域よりなる表示画面を有する表示手段と、前記仮想画面の表示データのうち前記表示画面の前記固定領域に表示する表示データの範囲と、この範囲の表示データを表示する前記表示画面の位置を示す固定領域の範囲とを対応して記憶する記憶手段と、前記記憶手段に記憶されている範囲に基づいて、前記サーバ装置より受信した前記表示データの中から、前記固定領域に対応する表示データを抽出する抽出手段と、前記抽出手段で抽出された表示データを前記表示画面の前記固定領域に固定的に表示する表示制御手段を備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明によれば、サーバ装置で生成された仮想画面にタスクバーのような常時表示したい表示データが含まれる場合でも、クライアント装置側でこの表示データを所定の表示領域に固定的に表示することができる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００４２
【補正方法】変更
【補正の内容】
【００４２】
図１２は、クライアント装置１０の画面内の表示位置を示す図である。
図１０に示した設定テーブル中の「画面表示場所（図１２の下側の矩形部分）」に、「常時表示領域（Ｘ座標が０〜７９９画素で、Ｙ座標が５７０〜５９９画素）」のデータを表示用バッファから取得し表示する。ただし、「表示倍率」の設定により表示用バッファのデータをＸ方向に０．５倍、Ｙ方向に１倍してから表示する。
【手続補正１６】
【補正対象書類名】図面
【補正対象項目名】図２
【補正方法】変更
【補正の内容】
【図２】
2008059231.tif 000001
【手続補正１７】
【補正対象書類名】図面
【補正対象項目名】図３
【補正方法】変更
【補正の内容】
【図３】
2008059231.tif 000002
【手続補正１８】
【補正対象書類名】図面
【補正対象項目名】図２１
【補正方法】変更
【補正の内容】
【図２１】
2008059231.tif 000003
【手続補正１９】
【補正対象書類名】図面
【補正対象項目名】図２５
【補正方法】変更
【補正の内容】
【図２５】
2008059231.tif 000004
【手続補正２０】
【補正対象書類名】図面
【補正対象項目名】図２６
【補正方法】変更
【補正の内容】
【図２６】
2008059231.tif 000005